(57)【要約】      （修正有）【課題】「連動電源コンセント」に接続された負荷の電気器具に流れる負荷電流を検知し、負荷の稼動に連動した交流１００ボルトの電源コンセントを提供する。【解決手段】ＡＣ電源コンセント３の負荷電流により全波整流器４で直流電位を生成する。この直流電位でソリッドステートリレーキット１１を動作させ、ＡＣコンセント１に交流１００ボルトの電源を供給する。ＡＣ電源コンセント３の負荷電流が小さい場合に備え、全波整流器５を設けて「基礎電位」を生成し、動作を補完する回路構成とした。この「基礎電位」と電流検知トランス１６の検出電流で生成した直流電位とを合成し、ソリッドステートリレーキット１１のプラスとマイナス端子間に加えている。この直流電位合成の効果によりＡＣ電源コンセント３に比較的小さい１０ワット程度の負荷電力の機器を接続した場合でも「連動電源コンセント」の機能が確実に動作することが可能となった。【選択図】図１
2011040358.tif 000002
【特許請求の範囲】
【請求項１】
ＡＣ電源コンセント３の電力負荷により電流検知トランス１６の二次コイルＮ２に生起した交流電位は全波整流器（ブリッジダイオード）４で直流電位として生成する。この直流電位をソリッドステートリレー（ＳＳＲ）キット１１のプラスとマイナスの端子間に直接加えて動作させるのを特徴とするのが基本構成である。
【請求項２】
ＡＣ電源コンセント３の負荷電流が小電力の場合に備え基礎電位を追加する回路構成。電流検知トランス１６の二次コイルＮ２の生成電位がソリッドステートリレー（ＳＳＲ）キット１１の動作電位に満たない場合の補助電位として全波整流器（ブリッジダイオード）５の直流電位を抵抗素子７及び抵抗素子８によって分割された基礎電位を追加する回路構成を特徴とする。全波整流器（ブリッジダイオード）４の直流電位と前記の基礎電位を直列に接続して合成、この合成直流電位をソリッドステートリレー（ＳＳＲ）キット１１のプラスとマイナスの端子間に加えることで小電力負荷での動作をより確実にする。
【請求項３】
ソリッドステートリレー（ＳＳＲ）キット１１のプラス、マイナスの入力端子に過大な電圧が加わってソリッドステートリレー（ＳＳＲ）キット１１の破壊や損傷を防止するため、ツェナーダイオード１０を入力端子のプラスとマイナスの端子間に並列に接続する。
【請求項４】
全波整流器（ブリッジダイオード）４の直流電位による電流が抵抗素子８に流れるのを抑制するため、抵抗素子８と並列にダイオード９を接続、抵抗素子８による電圧降下と基礎電位への影響を最小限にした。
【発明の詳細な説明】
【技術分野】
【０００１】  この発明は国内規格ＡＣ１００ボルト（５０／６０Ｈｚ）用の電源コンセントで、本コンセントに接続された機器の電源スイッチを入れるかまたは稼動することに連動して、同時に電源を供給するＡＣ電源コンセントを備えた「連動電源コンセント」である。
【背景技術】
【０００２】  近年、夜間防犯灯や各種のセンサを活用した電子機器・装置が多く用いられているが、その機器や装置の稼動に連動して動作するスイッチ機能を持った簡便な装置が要望されている。【０００３】  本発明は、このような要望に着目したもので、ＡＣ電源コンセント３の負荷電流を検知して、所定の電流値以上を検出することで、連動する他方のＡＣコンセント１に１００ボルトの交流電源を供給する小型で簡便な製品を発明した。
【発明の概要】
【発明が解決しようとする課題】
【０００４】  ＡＣ電源コンセント３から負荷（機器）への供給電力が小さい場合、電流検知トランス１６の検出電流も小さい。電流検知トランス１６を大型化して微小電流の検知を図ると装置自体が大型化し簡便なものとならない。【０００５】  また、ＡＣ電源コンセント３の電源負荷（機器）への電源供給電力を大きな容量にすると電流検知トランス１６の一次コイルＮ１を十分に大きな電流容量としなければならず、太い径の線材にする必要がある。【０００６】  一方、連動して動作するＡＣコンセント１の負荷の電力容量を大きくするには、ソリッドステートリレー（ＳＳＲ）キット１１の電流容量を大きくし、かつ十分に大きな放熱板を設ける必要がある。
【発明を解決するための手段】
【０００７】  手軽で簡便に使用する目的を達成するため、ＡＣ電源コンセント３には３００ワット程度と比較的に小さい電力負荷（機器）に対応するものとした。装置の小型化のため、電流検知トランス１６の一次コイルＮ１の巻き線数、線材の太さも適正な値とする。
【０００８】  電流検知トランス１６を小型・軽量化するため、巻き線数は一次コイルには約２０回巻き、二次コイルは１２００回巻き程度とする。なお、線材の発熱を少なくするため電流検知トランス１６の一次コイルＮ１の巻き線の許容電流を１２アンペア程度以上とする。
【０００９】  電流検知トランス１６の一次コイルＮ１の電流が０．１アンペア程度でも確実に「連動電源コンセント」が機能するようにするため、トランスレスで接続された全波整流器５で生成した直流電位を抵抗７と抵抗８で分割して基礎電位とし、常にソリッドステートリレー（ＳＳＲ）キット１１の入力端子間（＋と−の間）に基礎電位を加えておき、電流検知トランス１６の検出電流が小さい場合の補完電位として利用する。
【００１０】  前記の基礎電位はソリッドステートリレー（ＳＳＲ）キット１１の動作電位に満たない所定の電位とする。
【００１１】  この基礎電位を活用することで、ＡＣ電源コンセント３の負荷電力が小電力（約１０ワット）の機器でも確実にソリッドステートリレー（ＳＳＲ）キット１１が動作して、同時にＡＣコンセント１への交流電源供給も安定して確実な動作となる。誤作動や不安定な動作を防ぎ、最適な動作を確保するため、ＡＣ電源コンセント３の負荷電力の最小値を１０ワット、最大値を３００ワットに指定する。
【００１２】  ソリッドステートリレー（ＳＳＲ）キット１１の入力端子間（＋と−の間）に加えた基礎電位を安定した電位に保つため抵抗素子８と並列にダイオード９を設ける。ダイオード９を接続することで電流検知トランス１６の二次コイルＮ２の電流が大きくなっても全波整流器（ブリッジダイオード）４からの直流電流が抵抗素子８に流れる電流を最小限に抑え、直流基礎電位の変動をより少なくする。
【００１３】  ＡＣ電源コンセント３の負荷（機器）の消費電力が大きい場合、電流検知トランス１６の一次コイルＮ１に流れる電流が大きくなり、ソリッドステートリレー（ＳＳＲ）キット１１の入力端子間（＋と−の間）に加わる電位が大きくなる。そこでツェナーダイオード１０により電圧の上限を制限して、ソリッドステートリレー（ＳＳＲ）キット１１の素材を保護する。
【発明の効果】
【００１４】  各種のセンサーやタイマーあるいはその両方の組み合わせにより自動的に動作する機器の稼動と同時に動作する「連動電源コンセント」の発明により、種々の利用が期待される。特に小型、軽量で手軽に使用することができるので、一般の電源コンセント並に扱える。
【発明を実施するための形態】
【００１５】  簡便な単体の小型器具として提供するもので、ＡＣ電源コンセント３の負荷電力容量は３００ワットまでに制限。連動する出力コンセントであるＡＣコンセント１の負荷電力容量は１００ワットまでに制限する。この負荷電流制限のためにＡＣ電源コンセント３とＡＣコンセント１の負荷回路にヒューズを挿入して安全性の向上を図っている。
【００１６】  安全に使用するため電子部品の効果的な放熱を図り、絶縁特性も満足する製品にする。部品素材の発熱量を小さくするために使用素材の電気的な特性、規格を十分に満足する性能とし、安全性を確保する。このためソリッドステートリレー（ＳＳＲ）キット１１の負荷電流容量を３５アンペアの規格品とする。
【００１７】  本発明の「連動電源コンセント」は電源コンセントに接続して使用するもので、形状は図２に示す小型、軽量の構造とする。（ａ）側面図、（ｂ）正面図
【００１８】  ＡＣ電源コンセント３の電源端子挿入口の下部に「主コンセント  ３００ワットまで」と許容する負荷電力を表記する。（ｂ）正面図
【００１９】  ＡＣコンセント１の電源端子挿入口の上部に「連動コンセント」と表記するとともに、下部に「１００ワットまで」と許容する負荷電力を表記する。（ｂ）正面図
【００２０】  ＡＣコンセント１に電源供給中は発光ダイオード（ＬＥＤ）１４が点灯して表示する。（ｂ）正面図
【実施例】
【００２１】ＡＣ電源コンセント３にパソコンを接続して使用、ＡＣ電源コンセント１にオート電源機能を持たない周辺機器のプリンターやハードディスクドライブなどを接続することで、パソコンの電源を入れるか、または稼動することにより、事前にスイッチをＯＮにした周辺機器など、そのつどスイッチ操作することなく使用できる。照明器具も同様にパソコンの稼働時間に応じて点灯することができる。【００２２】  ＡＣ電源コンセント３に接続されたセンサー付き防犯灯が点灯した時点で、同時に連動したＡＣコンセント１に電源が供給される。ＡＣコンセント１に接続された他のアラーム警報や表示装置など複数の機器を同時に動作させることができる。
【図面の簡単な説明】
【００２３】
【図１】本発明の「連動電源コンセント」の回路図である。
【図２】図１の「連動電源コンセント」の（ａ）側面図、（ｂ）正面図である。（ａ）側面図では本発明の「連動電源コンセント」の電源コンセントへの差し込み電部分も図示している。（ｂ）正面図には本発明の「連動電源コンセント」に負荷（機器）を接続するための各コンセントの分別を表記、また、各コンセントの電源負荷容量を分かりやすく表記している。
【符号の説明】
【００２４】  １・・・・・・・・・・・ＡＣコンセント
２、２ａ，２ｂ・・・・・電源端子
３・・・・・・・・・・・ＡＣ電源コンセント
４・・・・・・・・・・・全波整流器（ブリッジダイオード）
５・・・・・・・・・・・全波整流器（ブリッジダイオード）
６、６ａ，６ｂ・・・・・コンデンサー（０．２２マイクロファラッド）
７・・・・・・・・・・・抵抗素子（１．５キロオーム）
８・・・・・・・・・・・抵抗素子（８００オーム）
９・・・・・・・・・・・ダイオード
１０・・・・・・・・・・・ツェナーダイオード（９ボルトで動作）
１１・・・・・・・・・・・ソリッドステートリレー（ＳＳＲ）キット
１２・・・・・・・・・・・全波整流器（ブリッジダイオード）
１３、１３ａ，１３ｂ・・・コンデンサー（０．２２マイクロファラッド）
１４・・・・・・・・・・・発光ダイオード（ＬＥＤ）
１５・・・・・・・・・・・抵抗素子（３００オーム）
１６・・・・・・・・・・・電流検知トランス
Ｎ１・・・・・・・・・電流検知トランス一次コイル
Ｎ２・・・・・・・・・電流検知トランス二次コイル
１７・・・・・・・・・・・ヒューズホルダー（３アンペアヒューズ用）
１８・・・・・・・・・・・ヒューズホルダー（１アンペアヒューズ用）
【図１】
2011040358.tif 000003
【図２】
2011040358.tif 000004